(57)【要約】【課題】部品点数を低減して摺動時の振動を防止できる光ピックアップ装置を提供する。【解決手段】光ピックアップ装置１には、ガイド軸３１ａ、３１ｂに沿って摺動可能に設けられ、光源（図示せず）が取り付けられるベース２と、ベース２上に配置され、前記光源からの光を光記録媒体の情報記録面に集光する対物レンズ１７、２５を駆動するアクチュエータ３と、を備える。ベース２には、アクチュエータ３に被せられるカバー部と、弾性力によってガイド軸３１ｂをベース２の一部に押圧する弾性部と、を一体的に形成した板金部材４が取り付けられる。【選択図】図１
2009252327.tif 000002
【特許請求の範囲】
【請求項１】
ガイド軸に沿って摺動可能に設けられ、光源が取り付けられるベースと、
前記ベース上に配置され、前記光源からの光を光記録媒体の情報記録面に集光する対物レンズを駆動するアクチュエータと、
を備える光ピックアップ装置において、
前記ベースには、前記アクチュエータに被せられるカバー部と、弾性力によって前記ガイド軸を前記ベースの一部に押圧する弾性部と、を一体的に形成した板金部材が取り付けられることを特徴とする光ピックアップ装置。
【請求項２】
前記板金部材は、前記ベースに固定部材で固定されるように形成され、
前記板金部材には、前記固定部材で固定される固定部が更に一体的に形成されることを特徴とする請求項１に記載の光ピックアップ装置。
【請求項３】
前記固定部は、前記カバー部と前記弾性部との間に形成されることを特徴とする請求項２に記載の光ピックアップ装置。
【請求項４】
前記カバー部は略箱型形状あって、
前記弾性部と前記固定部とは、前記カバー部の一側面から突出して横並びに設けられることを特徴とする請求項３に記載の光ピックアップ装置。
【発明の詳細な説明】
【技術分野】
【０００１】
本発明は、光記録媒体に記録される情報を読み取ったり、光記録媒体へ情報を書き込んだりするために使用される光ピックアップ装置に関する。
【背景技術】
【０００２】
コンパクトディスク（以下、ＣＤという。）やデジタル多用途ディスク（以下、ＤＶＤという。）といった光ディスク（光記録媒体）が普及している。更に、最近では、ブルーレイディスク（以下、ＢＤという。）等の大容量の情報を記録できる光ディスクも実用化されている。このような光ディスクからの情報の読み取りや光ディスクへの情報の書き込みは、光ピックアップ装置を用いて行われる。
【０００３】
図６は、従来の光ピックアップ装置の構成を示す概略平面図で、図６（ａ）は上から見た場合の図、図６（ｂ）は側面（図６（ａ）のＯ位置）から見た図である。なお、図６（ａ）には、光ピックアップ装置を構成する部材でないが、説明の便宜上ガイドシャフト１０５ａ、１０５ｂも示している。以下、図６を参照しながら従来の光ピックアップ装置１の構成について説明する。
【０００４】
光ピックアップ装置１００には、スライドベース１０１と、対物レンズアクチュエータ１０２と、が備えられる。
【０００５】
スライドベース１０１には、一方の端部に所定の間隔をおいて円筒状の軸受け部１０１ａ、１０１ｂが設けられ、それと対向する他方の端部に略Ｕ字状の軸受け部１０１ｃが設けられる。円筒状の軸受け部１０１ａ、１０１ｂには、第１ガイドシャフト（主軸）１０５ａが挿通される。一方、略Ｕ字状の軸受け部１０１ｃには、第２ガイドシャフト（副軸）１０５ｂが挿通される。これにより、スライドベース１０１は２つのガイドシャフト１０５ａ、１０５ｂに対して摺動可能に保持される。
【０００６】
また、スライドベース１０１には、半導体レーザ等から成る光源、光源から出射されて光ディスクで反射された反射光を受光する受光素子、光源から出射された光が後述の対物レンズ１０３へと至る光路や光ディスクで反射された反射光が受光素子へと至る光路に配置される各種の光学部材（以上、いずれも図示せず）等が搭載される。
【０００７】
対物レンズアクチュエータ１０２は、光源から出射された光を光ディスク（図６（ａ）において、紙面の手前側に配置される）の情報記録面へと集光する対物レンズ１０３を、例えばフォーカス方向とトラック方向とに移動可能とする装置である。ここで、フォーカス方向とは、光ディスクの情報記録面に対して垂直な方向と平行な方向であり、トラック方向とは、光ディスクの半径方向と平行な方向で上述のガイドシャフト１０５ａ、１０５ｂの長手方向と平行な方向である。そして、このように対物レンズ１０３をフォーカス方向やトラック方向へと移動可能とすることによって、対物レンズ１０３の焦点位置は常に情報記録面に合わせられるように制御（フォーカシング制御）され、対物レンズ１０３によって集光された光スポットは、常に光ディスクのトラックに追従するように制御（トラッキング制御）される。
【０００８】
具体的には、対物レンズアクチュエータ１０２には、アクトベース１０２ａと、対物レンズ１０３を保持するレンズホルダ１０２ｂと、レンズホルダ１０２ｂをアクトベース１０２ａに対して揺動可能に支持する複数の棒状弾性支持部材１０２ｃと、レンズホルダ１０２ｂを挟むように配置されてアクトベース１０２ａに立設される２つの永久磁石１０２ｄと、が備えられる。
【０００９】
そして、レンズホルダ１０２ｂに取り付けられる図示しないフォーカスコイルやトラックコイルに電流を流すことにより、電磁力作用によってレンズホルダ１０２ｂが揺動する。これにより、対物レンズアクチュエータ１０２は、対物レンズ１０３のフォーカス方向やトラック方向への移動を可能としている。なお、説明の便宜上図示を省略しているが、対物レンズアクチュエータ１０２は、例えば棒状弾性支持部材１０２ｃを保護する等の目的で、板金部材から成るカバーによって、その一部が覆われる。この板金部材は、アクトベース１０２ａに固定される。
【００１０】
以上のように構成される従来の光ピックアップ装置１００は、図示しない駆動機構によってガイドシャフト１０５ａ、１０５ｂに沿って光ディスクの半径方向に移動され、高速回転する光ディスクの各アドレスにアクセス可能となる。
【００１１】
ところで、以上のように構成される従来の光ピックアップ装置１００においては、ガイドシャフト１０５ａ、１０５ｂを摺動するスライドベース１０１が振動しないように振動防止部材を設けるのが一般的である（例えば、特許文献１や２を参照）。この振動防止部材は弾性部材から成って、スライドベース１０１にビス留め等で取り付けられる。そして、振動防止部材は弾性力によって副軸（第２ガイドシャフト１０５ｂ）を下方から押し上げるように設けられる。これにより、スライドベース１０１の一部（軸受け部１０１ｃの上部）と副軸１０５ｂとの当接を確保してスライドベース１０１の振動を防止できる。
【特許文献１】特許第３４３４６７３号公報
【特許文献２】特開２０００−１８２３３８号公報
【発明の開示】
【発明が解決しようとする課題】
【００１２】
しかしながら、このようなスライドベース１０１の振動を防止する機構は光ピックアップ装置１００において必要不可欠であるものの、従来の構成では、それを振動防止部材として別途準備することとしていた。このために、部品点数が増加し、光ピックアップ装置１の製造工数が増えるという問題があった。
【００１３】
以上の点を鑑みて、本発明の目的は、部品点数を低減して摺動時の振動を防止できる光ピックアップ装置を提供することである。
【課題を解決するための手段】
【００１４】
上記目的を達成するために本発明は、ガイド軸に沿って摺動可能に設けられ、光源が取り付けられるベースと、前記ベース上に配置され、前記光源からの光を光記録媒体の情報記録面に集光する対物レンズを駆動するアクチュエータと、を備える光ピックアップ装置において、前記ベースには、前記アクチュエータに被せられるカバー部と、弾性力によって前記ガイド軸を前記ベースの一部に押圧する弾性部と、を一体的に形成した板金部材が取り付けられることを特徴としている。
【００１５】
本構成によれば、１つの板金部材をベースに取り付けることによって、アクチュエータの保護と、ベースの振動防止とが実現される。すなわち、本構成によれば、従来は保護カバー及び振動防止部材として別々に準備していた部材について、１つの部材のみ準備すれば良いことになる。従って、部品点数を低減して摺動時の振動を防止できる光ピックアップ装置を提供できる。
【００１６】
上記構成の光ピックアップ装置において、前記板金部材は、前記ベースに固定部材で固定されるように形成され、前記板金部材には、前記固定部材で固定される固定部が更に一体的に形成されることとしてもよい。この構成によれば、板金部材をビス等の固定部材によって固定する構成であるために、板金部材の固定を強固なものとできる。また、固定部は、カバー部及び弾性部と一体的に形成されるものであり、部品点数の増加を抑制できる。
【００１７】
また、上記構成の光ピックアップ装置において、前記固定部は、前記カバー部と前記弾性部との間に形成されるのが好ましい。この構成によれば、弾性部における振動がカバー部へと伝わるのを抑制できる。
【００１８】
また、上記構成の光ピックアップ装置の具体的な構成として、前記カバー部は略箱型形状あって、前記弾性部と前記固定部とは、前記カバー部の一側面から突出して横並びに設けられることとしてもよい。
【発明の効果】
【００１９】
本発明によれば、部品点数を低減して摺動時の振動を防止できる光ピックアップ装置を提供できる。
【発明を実施するための最良の形態】
【００２０】
以下、本発明の光ピックアップ装置の実施形態について、図面を参照しながら詳細に説明する。
【００２１】
図１は、本実施形態の光ピックアップ装置の構成を示す概略平面図である。図２は、本実施形態の光ピックアップ装置の構成を示す概略側面図で、図１の位置Ａ側から見た側面図である。なお、図１においては、説明の便宜上、光ピックアップ装置１を構成する部材ではないガイドシャフト３１ａ、３１ｂについても示している。
【００２２】
光ピックアップ装置１は、図示しない光ディスク（図１を参照して、紙面の手前側に配置される）にレーザ光を照射し、光ディスクで反射される反射光を受け取り、光信号を電気信号に変換して出力する。光ピックアップ装置１は、図１に示すように光ディスクの半径方向と平行な方向に延びる２本のガイドシャフト３１ａ、３１ｂに沿って移動可能な状態で配置される。これにより、光ピックアップ装置１は、高速回転する光ディスクに形成される各アドレスにアクセス可能となり、光ディスクに記録される情報の読み取りや光ディスクへの情報の書き込みが可能となる。以下、本実施形態の光ピックアップ装置１の詳細な構成について説明する。
【００２３】
図１に示すように、本実施形態の光ピックアップ装置１は、スライドベース２と、対物レンズアクチュエータ３と、板金部材４と、を備える。スライドベース２には、図１及び図２に示されるように、２本のガイドシャフト３１ａ、３１ｂに対してスライドベース２が摺動可能に取り付けられるように、円筒状の軸受け部２ａ、２ｂと、略Ｕ字状の軸受け部２ｃとが設けられる。詳細には、円筒状の軸受け部２ａ、２ｂは、スライドベース２の一方の端部に所定の間隔をおいて設けられ、略Ｕ字状の軸受け部２ｃは円筒状の軸受け部２ａ、２ｂが設けられる端部と対向する他方の端部近傍に設けられる。
【００２４】
また、スライドベース２には、図３に示す光学系が配置されている。なお、図３は、本実施形態の光ピックアップ装置１が備える光学系の構成を示す概略図である。また、図３における２つの対物レンズ１７、２５は、詳細にはスライドベース２上に配置される対物レンズアクチュエータ３に搭載された状態で、スライドベース２に配置されることになる。
【００２５】
本実施形態の光ピックアップ装置１は、ＢＤ、ＤＶＤ及びＣＤの３種類の光ディスクに対して情報の読み取りと書き込みを可能に設けられている。そして、図３に示すように、ＢＤ用の光学系と、ＤＶＤ及びＣＤ（以下、ＤＶＤ／ＣＤと記載する場合がある）用の光学系との２種類の光学系を有している。以下、図３を参照しながら、ＢＤ用の光学系と、ＤＶＤ／ＣＤ用の光学系と、について別々に説明する。
【００２６】
まず、ＢＤ用の光学系について説明する。ＢＤ用の光学系は、第１半導体レーザ１１と、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、第１フォトディテクタ１９と、を備える。なお、第１半導体レーザ１１は、例えば波長４０５ｎｍ帯のレーザ光を出射する。
【００２７】
第１半導体レーザ１１から出射されたレーザ光（直線偏光）は、回折素子１２によって主ビームと２本の副ビームとに分けられる。その後、偏光ビームスプリッタ１３によって反射され、第１コリメートレンズ１４を通過する。第１コリメートレンズ１４は、球面収差を補正できるように光軸方向（図３に矢印で示す方向）に移動可能に設けられている。なお、第１コリメートレンズ１４の位置を調整することで、第１対物レンズ１７に入射する光の収束発散状態を変化させることができる。
【００２８】
第１コリメートレンズ１４を通過したレーザ光は、１／４波長板１５で円偏光に変換され、第１立ち上げミラー１６によって反射されて、その進行方向を光ディスクに向かう向き（図３において、紙面に対して手前へと向かう向きが該当）に変換される。第１立ち上げミラー１６で反射された光は、第１対物レンズ１７によって光ディスクの記録層に集光される。
【００２９】
その後、記録層で反射された反射光は、第１対物レンズ１７を通過後、第１立ち上げミラー１６で反射され、１／４波長板１５で直線偏光に変換される。なお、この際の偏光方向は、第１半導体レーザ１１から出射された直線偏光の偏光方向に対して９０度回転した方向である。
【００３０】
１／４波長板１５を通過した反射光は、第１コリメートレンズ１４、第１偏光ビームスプリッタ１３を透過し、第１シリンドリカルレンズ１８によって非点収差を与えられて第１フォトディテクタ１９に集光する。第１フォトディテクタ１９は、受光した光信号を電気信号に変換して出力する。なお、出力された電気信号は処理されて、再生ＲＦ信号、フォーカスエラー信号、トラッキングエラー信号等となる。
【００３１】
次に、ＤＶＤ／ＣＤ用の光学系について説明する。ＤＶＤ／ＣＤ用の光学系は、第２半導体レーザ２１と、ハーフミラー２２と、第２コリメートレンズ２３と、第２立ち上げミラー２４と、第２対物レンズ２５と、第２シリンドリカルレンズ２６と、第２フォトディテクタ２７と、を備える。なお、第２半導体レーザ２１は、例えば、波長６５０ｎｍ帯のレーザ光と波長７８０ｎｍ帯のレーザ光とを切り替えて出射する。このような２波長レーザとしては、いわゆるモノリシック型の半導体レーザやハイブリッド型の半導体レーザが好適に使用される。
【００３２】
第２半導体レーザ２１から出射されたレーザ光（直線偏光）は、ハーフミラー２２で反射されて、第２コリメートレンズ２３で平行光に変換される。第２コリメートレンズ２３で平行光に変換された光は、第２立ち上げミラー２４によって反射されて、その進行方向を光ディスクに向かう向き（図３において、紙面に対して手前へと向かう向きが該当）に変換される。第２立ち上げミラー２４で反射された光は、第２対物レンズ２５によって光ディスクの記録層に集光される。
【００３３】
その後、記録層で反射された反射光は、第２対物レンズ２５を通過後、第２立ち上げミラー２４で反射され、第２コリメータレンズ２３、ハーフミラー２２を透過し、第２シリンドリカルレンズ２６によって非点収差を与えられて第２フォトディテクタ２７に集光する。第２フォトディテクタ２７は、受光した光信号を電気信号に変換して出力する。なお、出力された電気信号は処理されて、再生ＲＦ信号、フォーカスエラー信号、トラッキングエラー信号等となる。
【００３４】
図１又は図２に戻って、スライドベース２上に配置される対物レンズアクチュエータ３は、第１対物レンズ１７及び第２対物レンズ２５を搭載し、これらの対物レンズをフォーカス方向（図２参照）とトラック方向（図１参照）とに移動可能に設けられる。これにより、光ピックアップ装置１におけるフォーカシング制御とトラッキング制御とが可能となっている。対物レンズアクチュエータ３の構成は、レンズホルダが２つの対物レンズ１７、２５を保持する点を除いて、図６に示す対物レンズアクチュエータ１０２と同様の構成であるので、ここでは、その構成の詳細な説明は省略する。
【００３５】
板金部材４は、第１に対物レンズアクチュエータ３を保護する、第２にスライドベース２をガイドシャフト３１ａ、３１ｂに沿って摺動させた場合に発生する振動を防止するという２つの理由のために、スライドベース２に取り付けられる。
【００３６】
詳細には、光ピックアップ装置１に備えられる対物レンズアクチュエータ３は、棒状弾性支持部材（図示せず）によって対物レンズ１７、２５を保持するレンズホルダが揺動可能に支持された構成となっている。このような構成の場合、特に棒状弾性支持部材に物が触れないように注意する必要がある。また、スライドベース２の副軸となるガイドシャフト３１ｂが挿通される軸受け部２ｃは、部品の寸法公差を考慮して形成されている。このために、スライドベース２をガイドシャフト３１ａ、３１ｂに取り付けて、スライドベース２を摺動させると、振動（がたつき）が発生する場合がある。板金部材４は、これらの不具合を解消するものである。
【００３７】
以下、板金部材４の詳細について、図４を参照しながら説明する。なお、図４は、本実施形態の光ピックアップ装置１が備える板金部材４の構成を示す概略斜視図である。図４に示すように、板金部材４は、カバー部４１と、固定部４２と、弾性部４３と、を一体的に形成して成る。本実施形態の板金部材４には、例えば０．３ｍｍ程度の厚みを有する板金材が使用される。また、本実施形態の板金部材４の材質としては、例えばステンレス鋼（ＳＵＳ）が選択されるが、その中でも特に高い弾性を有するものが好適に使用される。
【００３８】
カバー部４１は、略箱型形状に折り曲げ形成された部分であり、この部分は対物レンズアクチュエータ３に被せることによって、対物レンズアクチュエータ３を保護できるように形成されている。ただし、カバー部４１の上面４１ａには、対物レンズアクチュエータ３に搭載される対物レンズ１７、２５が覆われないように、その一部を切り欠くことによって形成される窓部４４が設けられている。
【００３９】
固定部４２と弾性部４３とは、略箱型形状とされるカバー部４１の一側面４１ｂを折り曲げることによって形成され、一側面４１ｂから突出した状態で横並びに設けられる。固定部４２には、板金部材４をスライドベース２にビス５（図１及び図２参照）によって固定できるように、平面視略舌状の切り欠き部４２ａが形成される。
【００４０】
弾性部４３は、その一部が上部側に向かって折り返された折曲部４３ａを有し、側面視略釣り針状となっている。弾性部４３は、折曲部４３ａが形成されることによって弾性を有するようになっている。図５は、板金部材４の弾性部４３の機能を説明するための説明図である。図５に示すように、略Ｕ字状に形成される軸受け部２ｃに挿通されたガイドシャフト３１ｂは、弾性部４３の折曲部４３ａによって上側（図５に矢印で示す）に押圧され、軸受け部２ｃの上面に押し当てられる。このため、スライドベース２がガイドシャフト３１ａ、３１ｂに沿って摺動しても振動（がたつき）を発生しない。
【００４１】
以上のように、本実施形態の板金部材４は、対物レンズアクチュエータ３を保護する役割と、スライドベース２がガイドシャフト３１ａ、３１ｂに沿って摺動する際の振動を防止する役割とを、１つの部材で発揮できる構成となっている。したがって、各々の機能を発揮する部材を別々に準備して組み立てていた従来の構成に比べて部品点数を削減できる。したがって、光ピックアップ装置の製造時の作業工数を減らして作業性を向上することができる。
【００４２】
また、本実施形態においては、板金部材４は、カバー部４１と弾性部４３との間に形成される固定部４２で、ビス５によって固定される構成となっている。このような構成の場合、弾性部４３における振動がカバー部４１に伝わり難くなるために好ましい。なお、板金部材４のスライドベース２に対する固定はビス５だけでなく、スライドベース２に板金部材４と係合する係合部を更に設けて、この係合部を利用して固定するのが好ましい。
【００４３】
以上に示した実施形態は一例であり、本発明は上述の実施形態に限定されるものではない。本発明の目的を逸脱しない範囲で、以上に示した実施形態について、種々の変更が可能である。
【００４４】
例えば本実施形態では、板金部材４は、カバー部４１と、固定部４２と、弾性部４３と、を一体的に形成して成る構成とした。しかし、この構成に限定される趣旨ではなく、固定部４２を設けない構成としても構わない。このような構成の場合には、例えばスライドベース２に板金部材４を保持する機構を設ければ良い。また、板金部材に固定部を形成する場合でも、固定部をカバー部と弾性部との間に設けない構成とすることも可能である。ただし、上述のように、カバー部の振動防止等を考慮して、本実施形態のように、カバー部４１と弾性部４３との間に固定部４２を形成するのが好ましい。
【００４５】
また、本実施形態では、ＢＤ、ＤＶＤ及びＣＤに対応する光ピックアップ装置に本発明を適用する場合について示した。しかし、本発明は、単一の光ディスクに対応する光ピックアップ装置や、複数種類の光ディスクに対応するが本実施形態とは異なる光ディスクに対応する光ピックアップ装置についても適用できるのは言うまでもない。
【産業上の利用可能性】
【００４６】
本発明の光ピックアップ装置は、光ピックアップ装置が摺動する際の振動防止を、部品点数を低減して実現するものであり、光ピックアップ装置の分野で広く適用できるものである。
【図面の簡単な説明】
【００４７】
【図１】は、本実施形態の光ピックアップ装置の構成を示す概略平面図である。
【図２】は、本実施形態の光ピックアップ装置の構成を示す概略側面図で、図１の位置Ａ側から見た側面図である。
【図３】は、本実施形態の光ピックアップ装置が備える光学系の構成を示す概略図である。
【図４】は、本実施形態の光ピックアップ装置が備える板金部材の構成を示す概略斜視図である。
【図５】は、本実施形態の光ピックアップ装置が備える板金部材の弾性部の機能を説明するための説明図である。
【図６】は、従来の光ピックアップ装置の構成を示す概略平面図である。
【符号の説明】
【００４８】
１        光ピックアップ装置
２        スライドベース
３        対物レンズアクチュエータ
４        板金部材
５        ビス（固定部材）
１１      第１半導体レーザ（光源）
２１      第２半導体レーザ（光源）
１７      第１対物レンズ
２５      第２対物レンズ
３１ａ    第１ガイドシャフト（ガイド軸）
３１ｂ    第２ガイドシャフト（ガイド軸）
４１      カバー部
４２      固定部
４３      弾性部
【図１】
2009252327.tif 000003
【図２】
2009252327.tif 000004
【図３】
2009252327.tif 000005
【図４】
2009252327.tif 000006
【図５】
2009252327.tif 000007
【図６】
2009252327.tif 000008